【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
表示部と、
消費者を識別する識別情報を記憶部に記憶する記憶手段と、
電子レシート情報を確認するための第１のアイコンと電子クーポン情報を確認するための第２のアイコンとを前記表示部に表示する第１表示手段と、
前記第１のアイコンが操作されると、前記識別情報に関連付けられた電子レシート情報の少なくとも店名と日付、及び、取引金額を含む一覧画像を前記表示部に表示する第２表示手段と、
前記第２のアイコンが操作されると、前記識別情報で識別される消費者が使用可能な電子クーポン情報の少なくとも値引の対象となる商品の名称と当該値引に関連する金額の情報とを含む一覧画像を前記表示部に表示する第３表示手段と、
前記電子レシート情報の一覧画像から所定の電子レシート情報が選択されると、その選択された電子レシート情報のレシート画像を前記表示部に表示する第４表示手段と、
前記電子クーポン情報の一覧画像から所定の電子クーポン情報が選択されると、その選択された電子クーポン情報のクーポンを使用するためのクーポン使用画像を前記表示部に表示する第５表示手段と、
を具備する、情報端末。
【請求項２】
前記第１表示手段は、前記第１のアイコンと前記第２のアイコンとを前記表示部に同時に表示する、請求項１記載の情報端末。
【請求項３】
前記クーポン使用画像は、少なくとも値引の対象となる商品の名称及び当該値引に関連する金額の情報と、クーポンの識別情報を表すバーコードの画像が含まれる、請求項１又は２記載の情報端末。
【請求項４】
表示部、及び、消費者を識別する識別情報を記憶する記憶部を備えた情報端末のコンピュータを、
電子レシート情報を確認するための第１のアイコンと電子クーポン情報を確認するための第２のアイコンとを前記表示部に表示する第１表示手段、
前記第１のアイコンが操作されると、前記識別情報に関連付けられた電子レシート情報の少なくとも店名と日付、及び、取引金額を含む一覧画像を前記表示部に表示する第２表示手段、
前記第２のアイコンが操作されると、前記識別情報で識別される消費者が使用可能な電子クーポン情報の少なくとも値引の対象となる商品の名称と当該値引に関連する金額の情報とを含む一覧画像を前記表示部に表示する第３表示手段、
前記電子レシート情報の一覧画像から所定の電子レシート情報が選択されると、その選択された電子レシート情報のレシート画像を前記表示部に表示する第４表示手段、及び、
前記電子クーポン情報の一覧画像から所定の電子クーポン情報が選択されると、その選択された電子クーポン情報のクーポンを使用するためのクーポン使用画像を前記表示部に表示する第５表示手段、
として機能させるためのプログラム。
【請求項５】
前記第１表示手段は、前記第１のアイコンと前記第２のアイコンとを前記表示部に同時に表示する、請求項４記載のプログラム。
【請求項６】
前記クーポン使用画像は、少なくとも値引の対象となる商品の名称及び当該値引に関連する金額の情報と、クーポンの識別情報を表すバーコードの画像が含まれる、請求項４又は５記載のプログラム。
【請求項７】
表示部、及び、消費者を識別する識別情報を記憶する記憶部を備えた情報端末の表示制御方法であって、
第１表示手段が、電子レシート情報を確認するための第１のアイコンと電子クーポン情報を確認するための第２のアイコンとを前記表示部に表示し、
前記第１のアイコンが操作されると、第２表示手段が、前記識別情報に関連付けられた電子レシート情報の少なくとも店名と日付、及び、取引金額を含む一覧画像を前記表示部に表示し、
前記第２のアイコンが操作されると、第３表示手段が、前記識別情報で識別される消費者が使用可能な電子クーポン情報の少なくとも値引の対象となる商品の名称と当該値引に関連する金額の情報とを含む一覧画像を前記表示部に表示し、
前記電子レシート情報の一覧画像から、所定の電子レシート情報が選択されると、その選択された電子レシート情報のレシート画像を前記表示部に表示し、
前記電子クーポン情報の一覧画像から、所定の電子クーポン情報が選択されると、その選択された電子クーポン情報のクーポンを使用するためのクーポン使用画像を前記表示部に表示する、表示制御方法。
【請求項８】
前記第１表示手段は、前記第１のアイコンと前記第２のアイコンとを前記表示部に同時に表示する、請求項７記載の表示制御方法。
【請求項９】
前記クーポン使用画像は、少なくとも値引の対象となる商品の名称及び当該値引に関連する金額の情報と、クーポンの識別情報を表すバーコードの画像が含まれる、請求項７又は８記載の表示制御方法。
【請求項１０】
請求項１乃至請求項３のうちいずれか１項に記載の情報端末と通信可能に接続されたサーバであって、
前記情報端末からの要求に応じて、当該情報端末の記憶部に記憶された前記消費者を識別する識別情報と関連付けて記憶した電子レシート情報を当該情報端末に送信する電子レシート情報送信手段、
を具備する、サーバ。
【請求項１１】
請求項１乃至請求項３のうちいずれか１項に記載の情報端末と通信可能に接続されたサーバであって、
前記情報端末からの要求に応じて、当該情報端末の記憶部に記憶された前記識別情報で識別される消費者を配信対象とする前記電子クーポン情報を当該情報端末に送信する電子クーポン情報送信手段、
を具備する、サーバ。
【請求項１２】
請求項１乃至請求項３のうちいずれか１項に記載の情報端末と通信可能に接続されたサーバを、
前記情報端末からの要求に応じて、当該情報端末の記憶部に記憶された前記消費者を識別する識別情報と関連付けて記憶した電子レシート情報を当該情報端末に送信する電子レシート情報送信手段、
として機能させるためのプログラム。
【請求項１３】
請求項１乃至請求項３のうちいずれか１項に記載の情報端末と通信可能に接続されたサーバを、
前記情報端末からの要求に応じて、当該情報端末の記憶部に記憶された前記識別情報で識別される消費者を配信対象とする前記電子クーポン情報を当該情報端末に送信する電子クーポン情報送信手段、
として機能させるためのプログラム。
【請求項１４】
請求項１乃至請求項３のうちいずれか１項に記載の情報端末と通信可能に接続されたサーバが、
前記情報端末からの要求に応じて、当該情報端末の記憶部に記憶された前記消費者を識別する識別情報と関連付けて記憶した電子レシート情報を当該情報端末に送信する電子レシート情報送信方法。
【請求項１５】
請求項１乃至請求項３のうちいずれか１項に記載の情報端末と通信可能に接続されたサーバが、
前記情報端末からの要求に応じて、当該情報端末の記憶部に記憶された前記識別情報で識別される消費者を配信対象とする前記電子クーポン情報を当該情報端末に送信する電子クーポン情報送信方法。
【手続補正２】
【補正対象書類名】明細書
【補正対象項目名】発明の名称
【補正方法】変更
【補正の内容】
【発明の名称】情報端末及びそのプログラム、表示制御方法、並びに、サーバ及びそのプログラム、電子レシート情報送信方法、電子クーポン情報送信方法
【手続補正３】
【補正対象書類名】明細書
【補正対象項目名】０００１
【補正方法】変更
【補正の内容】
【０００１】
本発明の実施形態は、情報端末及びそのプログラム並びに表示制御方法、さらにはサーバ及びそのプログラム並びに電子レシート情報送信方法と電子クーポン情報送信方法に関する。
【手続補正４】
【補正対象書類名】明細書
【補正対象項目名】０００７
【補正方法】変更
【補正の内容】
【０００７】
一実施形態において、情報端末は、表示部と、記憶手段と、第１表示手段と、第２表示手段と、第３表示手段と、第４表示手段と、第５表示手段と、を備える。記憶手段は、消費者を識別する識別情報を記憶部に記憶する。第１表示手段は、電子レシート情報を確認するための第１のアイコンと電子クーポン情報を確認するための第２のアイコンとを表示部に表示する。第２表示手段は、第１のアイコンが操作されると、識別情報に関連付けられた電子レシート情報の少なくとも店名と日付、及び、取引金額を含む一覧画像を表示部に表示する。第３表示手段は、第２のアイコンが操作されると、識別情報で識別される消費者が使用可能な電子クーポン情報の少なくとも値引の対象となる商品の名称と当該値引に関連する金額の情報とを含む一覧画像を表示部に表示する。第４表示手段は、電子レシート情報の一覧画像から、所定の電子レシート情報が選択されると、その選択された電子レシート情報のレシート画像を表示部に表示する。第５表示手段は、電子クーポン情報の一覧画像から、所定の電子クーポン情報が選択されると、その選択された電子クーポン情報のクーポンを使用するためのクーポン使用画像を表示部に表示する。
【手続補正５】
【補正対象書類名】明細書
【補正対象項目名】００３８
【補正方法】変更
【補正の内容】
【００３８】
このような構成の電子レシートサーバ３１は、アプリケーションプログラムである電子レシートサーバプログラムＰ３をインストールすることによって、電子レシート情報を配信可能な電子レシートシステム１のサーバ装置となる。すなわち電子レシートサーバ３１は、各ＰＯＳ端末２１から発行された電子レシート情報を一括して保存する。また電子レシートサーバ３１は、情報端末６からの要求に応じて該当する電子レシート情報をその情報端末６に送信する。
【手続補正６】
【補正対象書類名】明細書
【補正対象項目名】００３９
【補正方法】変更
【補正の内容】
【００３９】
電子レシートサーバプログラムＰ３は、電子レシートサーバ３１が電子レシート情報を配信可能な電子レシートシステム１のサーバ装置となるようにプロセッサ３１１を制御する。電子レシートサーバプログラムＰ３は、補助記憶デバイス３１３に保存される。また、この電子レシートサーバプログラムＰ３とともにレシートファイルＦＬ１が補助記憶デバイス３１３に形成される。レシートファイルＦＬ１は、電子レシート情報を一括して保存するための領域として使用される。